(57)【要約】【課題】ペンキ等の塗料を用いて灯体の適正な取付角度を表示する目印を付けなくとも、ランプ交換等のために取付角度が変わった灯体をワンタッチで正確に適正な取付角度に復帰させることができる照明器具を提供する。【解決手段】灯体を上方又は下方に首振りさせて取付角度を適正に調整した後、その灯体を上方又は下方に首振りさせるときに俯角板４が回転した方向と同一方向に回転板１１を回転させて、該回転板１１の回転が灯体支持具に固設したストッパピン１２で阻止される状態とし、その状態で回転板締止具１３により回転板１１を俯角板４に締め止めて、灯体を適正な取付角度より上方又は下方に首振りさせない上死点又は下死点を設定する。【選択図】  図３
2005019043.tif 000002
【特許請求の範囲】
【請求項１】
灯体の取付角度を調整することができるように灯体をチルト軸によって上下方向に首振り可能に支持する灯体支持具に、前記チルト軸と一体的に回転する俯角板を締め止めて灯体を首振り不能に固定する俯角板締止具が設けられた照明器具において、灯体の取付角度に応じた灯体の首振りの上死点又は下死点を設定するための回転板を具備し、該回転板が前記俯角板と同軸的に一定の角度範囲だけ回転フリーに設けられると共に、その角度範囲を規制するストッパピンが前記灯体支持具に固設され、灯体の取付角度を調整する際に回転した前記俯角板の回転方向と同一方向への回転が前記ストッパピンで阻止される状態とした前記回転板を前記俯角板に締め止めて該俯角板と一体化させる回転板締止具が設けられていることを特徴とする照明器具。
【請求項２】
前記回転板締止具が、前記俯角板に固設されて前記回転板に形成した弧状孔に挿通されるボルトと、該ボルトと螺合する蝶ナットとで構成されている請求項１記載の照明器具。
【請求項３】
前記俯角板に、灯体のチルト角度を表示する目盛りが設けられ、その目盛りを指し示す指針が、前記ストッパピンに固設されると共に、前記チルト軸と同軸的に枢支されている請求項１又は２記載の照明器具。
【発明の詳細な説明】
【０００１】
【発明の属する技術分野】
本発明は、目的場所を効率良く照明するために灯体の取付角度を調整してランプの照射角度を適正に設定することができる照明器具に関する。
【０００２】
【従来の技術】
野球場やサッカー場、ゴルフ場等のナイター照明に用いる投光器は、ランプの光学性能を有効に発揮させて目的場所を効率良く照明するために、これを鉄塔架台に設置した後、灯体の取付角度を調整してランプの照射角度を適正に設定することができる機構を備えている。
【０００３】この種の照明器具は、例えば図７に示す如く、灯体７１の取付角度を調整することができるように灯体７１をチルト軸７３によって上下方向に首振り可能に支持する灯体支持具７２に、灯体７１を上方向あるいは下方向に首振りさせてその取付角度を適正に調整した後、チルト軸７３と一体的に回転する俯角板７４を灯体支持具７２のアーム７５に締め止めてチルト軸７３の回転を阻止することにより灯体７１を首振り不能に固定する俯角板締止具７６が設けられている（特許文献１参照）。
【０００４】
【特許文献１】
特開平１１−１１１０２０号公報（図１０及び図１１）
【０００５】つまり、従来の照明器具は、灯体７１が、ランプを取り付ける灯具本体７７と反射鏡７８とで構成されると共に、その灯体７１を上下方向に首振り可能に支持する灯体支持具７２が、灯具本体７７と反射鏡７８とを前後方向から互いに合体させるようにして各々を脱着可能に取り付ける灯体取付枠７９と、該灯体取付枠７９に固設された左右一対のチルト軸７３を回転自在に支持するアーム７５と、その取付ベース８０とで構成され、照明の目的場所を灯体取付枠７９の上端に突設された照準器８１でエイミングしながら灯体７１を上方向あるいは下方向に首振りさせて取付角度を適正に調整した後、その取付角度を保持するために、俯角板７４をハンドル付きボルトで成る俯角板締止具７６により灯体支持具７２のアーム７５に締め止めて、灯体７１を首振り不能に固定するようになっている。
【０００６】そして、消耗品であるランプの交換は、灯体取付枠７９に取り付けられた灯具本体７７を脱着して行なうが、その脱着作業を容易にするために、灯体７１を首振り不能に固定して適正な取付角度に保持している俯角板締止具７６を一旦緩めて、上向き角度や下向き角度に取り付けられている灯体７１を水平状態に戻すように首振りさせることがあるので、ランプ交換終了後にその灯体７１を再び適正な取付角度に復帰させることができるように、灯体７１の取付角度を調整した際に、ペンキ等の塗料を用いて、灯体７１のチルト角度を表示する目盛りが設けられた俯角板７４の表面と、その目盛りに対峙するアーム７５の先端部表面とに跨って一線的に符合する目印Ａ、Ｂを付けるようにしている。
【０００７】
【発明が解決しようとする課題】
しかしながら、ランプ交換の際に齟齬した二つの目印Ａ、Ｂを目視しながら両目印Ａ、Ｂが互いに符合する方向に灯体７１を首振りさせるように操作して、両目印Ａ、Ｂが寸分違わず一線的に符合した瞬間に灯体７１の首振り動作を停止させることは非常に難しく、一度の操作では位置ずれを生じて両目印Ａ、Ｂを正確に符合させることができないため、灯体７１を何度も小刻みに動かして目印Ａ、Ｂ間の僅かな位置ずれを修正する面倒な微調整作業を強いられていた。
【０００８】また、俯角板７４の表面に付けられた目印Ａと、アーム７５の表面に付けられた目印Ｂとの間には、アーム７５の板厚分に相当する段差が存在しているので、目視によって両目印Ａ、Ｂを正確に符合させるように位置合わせすることが著しく困難であり、見る角度によっては、段差に起因する位置ずれを生ずるおそれがあると同時に、その位置ずれを看過するおそれがある。そして、目印の位置ずれによって灯体７１の取付角度が僅か数度でも変われば、数十〜百数十メートル先の目的場所を効率良く照明することができなくなる。
【０００９】また、灯体７１の取付角度を一旦調整して塗料で目印Ａ、Ｂを付けた後に、取付角度が不適正であることが判明してその取付角度を再調整することもあり、その場合に、最初に付けた目印Ａ、Ｂを溶剤等で消去して新たな目印を付け直すのは面倒であるし、最初に付けた目印Ａ、Ｂを残したまま新たな目印を付ければ、新旧の目印が相紛れてその目印を取り違えるおそれがある。
【００１０】更に、ペンキ等の塗料で目印を付ける場合は、その塗料を携えて照明器具が設置された鉄塔架台に昇らなければならず、もし塗料の携帯を怠れば、鉄塔架台を何度も昇り降りしなければならないという不便があるし、雨や霧、結露等によって照明器具の表面が濡れているときは、塗料の乗りが悪く、その塗料にタレなどが生じて正確な目印を付けることができないこともある。
【００１１】そこで本発明は、塗料などを用いて灯体の適正な取付角度を表示する目印を付けなくとも、ランプ交換等のために一旦角度が変更された灯体を再び適正な取付角度にワンタッチで正確に復帰させることができる照明器具を提供することを技術的課題としている。
【００１２】
【課題を解決するための手段】
上記の課題を解決するために、本発明は、灯体の取付角度を調整することができるように灯体をチルト軸によって上下方向に首振り可能に支持する灯体支持具に、前記チルト軸と一体的に回転する俯角板を締め止めて灯体を首振り不能に固定する俯角板締止具が設けられた照明器具において、灯体の取付角度に応じた灯体の首振りの上死点又は下死点を設定するための回転板を具備し、該回転板が前記俯角板と同軸的に一定の角度範囲だけ回転フリーに設けられると共に、その角度範囲を規制するストッパピンが前記灯体支持具に固設され、灯体の取付角度を調整する際に回転した前記俯角板の回転方向と同一方向への回転が前記ストッパピンで阻止される状態とした前記回転板を前記俯角板に締め止めて該俯角板と一体化させる回転板締止具が設けられていることを特徴とする。
【００１３】本発明の照明器具は、灯体を上方向あるいは下方向に首振りさせてその取付角度を適正に調整した後、灯体を首振りさせる際にチルト軸と一体的に回転した俯角板を俯角板締止具で灯体支持具に締め止めてチルト軸の回転を阻止することにより灯体を首振り不能に固定させる。次いで、灯体の取付角度を調整する際に回転した俯角板の回転方向と同一方向へ回転板を回転させて、その回転が灯体支持具に固設されたストッパピンで阻止される状態となったときに、該回転板を回転板締止具で俯角板に締め止めて該俯角板と一体化させる。
【００１４】これにより、灯体の取付角度を上向き角度に調整したときは、その上向き角度より上方へ灯体を首振りさせない上死点が設定され、また、灯体の取付角度を下向き角度に調整したときは、その下向き角度より下方へ灯体を首振りさせない下死点が設定されることとなる。
【００１５】つまり、俯角板締止具を緩めても、俯角板は、回転板締止具により該俯角板と一体的に締め止められた回転板と、該回転板の回転を阻止するストッパピンとによって、灯体を適正な取付角度より上方又は下方に首振りさせる方向への回転が阻止される。したがって、例えばランプ交換のために俯角板締止具を緩めて灯体を一旦水平状態に戻しても、ランプ交換終了後に灯体を適正な取付角度に復帰させる方向に首振りさせると、その適正な取付角度に復帰した瞬間に、俯角板と一体的に回転する回転板が灯体支持具に固設されたストッパピンにより回転を阻止されて灯体が首振り不能となる上死点又は下死点に達し、灯体が適正な取付角度となる位置でその首振り動作を停止する。
【００１６】
【発明の実施の形態】
以下、本発明の実施形態を図面によって具体的に説明する。
図１は本発明に係る照明器具の一例を示す側面図、図２はその要部の拡大斜視図、図３は要部の機構を示す図、図４は回転板の一例を示す斜視図、図５はストッパピンの一例を示す斜視図、図６は俯角板の一例を示す斜視図である。
【００１７】本例の照明器具は、灯体１の取付角度を調整することができるように該灯体１をチルト軸３によって上下方向に首振り可能に支持する灯体支持具２に、チルト軸３と一体的に回転する俯角板４を締め止めて灯体１を首振り不能に固定する俯角板締止具５が設けられている。
【００１８】灯体１は、ランプを取り付ける灯具本体６と反射鏡７とで成り、灯体支持具２は、灯具本体６と反射鏡７とを各々脱着可能に取り付ける灯体取付枠８と、該灯体取付枠８に固設されたチルト軸３を回転自在に支持するアーム９とその取付ベース１０とで構成され、アーム９に俯角板４を締め止める俯角板締止具５を緩めて首振り可能とした灯体１を上方向又は下方向に首振りさせて、その取付角度を適正に調整した後、俯角板締止具５で俯角板４をアーム９に締め止めて灯体１を首振り不能に固定するようになっている。
【００１９】また、本照明器具は、灯体１の取付角度に応じた灯体１の首振りの上死点又は下死点を設定するための回転板１１を具備しており、該回転板１１が俯角板４と重ね合わすように配されて該俯角板４と同軸的に一定の角度範囲だけ回転フリーに設けられると共に、その角度範囲を規制するストッパピン１２が灯体支持具２のアーム９に固設され、更に、灯体１を上向き又は下向きに首振りさせてその取付角度を調整する際に回転した俯角板４の回転方向と同一方向への回転がストッパピン１２で阻止される状態とした回転板１１を俯角板４に締め止めて該俯角板４と一体化させる回転板締止具１３が設けられている。
【００２０】すなわち、回転板１１とストッパピン１２は、灯体１の取付角度を適正な上向き角度に調整したときに、その調整角度より上方へ灯体１を首振りさせない首振りの上死点を設定し、また、灯体１の取付角度を適正な下向き角度に調整したときは、その調整角度より下方へ灯体１を首振りさせない首振りの下死点を設定して、ランプ交換等のために一旦水平状態とした灯体１を再び適正な取付角度にワンタッチで正確に復帰させることができるようにするために設けられたものである。
【００２１】そのために、図４に示す回転板１１は、これをチルト軸３と同軸的に回転フリーに取り付けるための軸孔１４と、灯体支持具２のアーム９に固設されたストッパピン１２を挿通させて回転板１１の回転自在な角度範囲を規制するための弧状孔１５と、俯角板４に固設されたボルト１６を挿通させて該ボルト１６とこれに螺合する蝶ナット１７とで成る回転板締止具１３によって回転板１１を俯角板４に締め止めることができるようにすると同時に、ボルト１６によって回転板１１の自在な回転が阻止されないようにするための弧状孔１８とが穿設され、外周部には回転板１１を指先で回転させるやすくするための摘み１９が形成されている。
【００２２】また、図５に示すストッパピン１２は、俯角板４に設けられた灯体のチルト角度を表示する目盛りＧを指し示す指針２０が固設されている。この指針２０は、その先端側がストッパピン１２の突端部に固定されると共に、該指針２０をチルト軸３と同軸的に枢支するための孔２１が穿設されている。これにより、ストッパピン１２の突端部が指針２０に支持されて、該ストッパピン１２の取付強度が著しく高められることとなる。
【００２３】また、図６に示す俯角板４は、これをチルト軸３に取り付けるための軸孔２２と、該俯角板４をチルト軸３が固設された灯体取付枠８にビス２３で締め止めて固定するためのビス孔２４と、灯体支持具２のアーム９に固設されたストッパピン１２を挿通させて該ストッパピン１２で俯角板４の回転が阻止されないようにするための弧状孔２５と、アーム９に形成したボルト孔に螺合せられるハンドル付きボルトで成る俯角板締止具５のボルト２６を挿通させて、灯体１を上下方向に例えば９０°ずつ首振りさせることが可能な１８０°の角度範囲だけ該ボルト２６で俯角板４の回転が阻止されないようにするための弧状孔２７が穿設されると共に、回転板締止具１３の蝶ナット１７と螺合するボルト１６が固設されている。
【００２４】図３は、回転板１１とストッパピン１２によって灯体１の首振りの上死点及び下死点を設定する機構と操作を示しており、図３（ａ）は灯体１の取付角度を例えば上向き角度１５°に調整して、その１５°より上方へ灯体１を首振りさせない上死点を設定するときの図、図３（ｂ）は灯体１を角度０°の水平状態とした図、図３（ｃ）は灯体１の取付角度を例えば下向き角度６０°に調整して、その６０°より下方へ灯体１を首振りさせない下死点を設定するときの図である。
【００２５】灯体１の取付角度を上向き角度とするときは、俯角板締止具５と回転板締止具１３の双方を緩め、俯角板４と回転板１１をいずれも回転自在な状態として、灯体１を水平状態から上方へ首振りさせる。この灯体１の首振り動作に応動して、俯角板４は、図３（ｂ）の角度０°の状態から図３（ａ）の如く回転する。
【００２６】そして、灯体１の取付角度が適正な上向き角度となったときに、俯角板４を俯角板締止具５で灯体支持具２のアーム９に締め止めて、灯体１を首振り不能に固定した後、灯体１を上方へ首振りさせたときに回転した俯角板４の回転方向と同じ図３（ａ）矢印図示の方向へ回転板１１を回転させ、その回転が該回転板１１に形成された弧状孔１５に挿通されているストッパピン１２によって阻止される状態となったときに、回転板締止具１３の蝶ナット１７を締めて回転板１１を俯角板４と一体化させる。
【００２７】これにより、俯角板４は、回転板１１と同じくストッパピン１２によって図３（ａ）矢印図示の方向への回転が阻止されることとなるので、俯角板締止具５を緩めても、灯体１を適正に調整された上向き角度より上方へ首振りさせることができなくなる。したがって、ランプ交換の際に灯体１を図３（ｂ）に示す角度０°の水平状態に戻しても、ランプ交換終了後にその灯体１を上方に首振りさせるだけで、図３（ａ）に示す適正な上向き角度１５°に復帰させることができる。
【００２８】また、灯体１を下方へ首振りさせて下向き角度を調整するときは、俯角板４が、図３（ｂ）の状態から図３（ｃ）の如く回転する。そして、灯体１が適正な下向き角度となったときに、俯角板４を俯角板締止具５で灯体支持具２のアーム９に締め止めて、灯体１を首振り不能に固定した後、灯体１を下方へ首振りさせたときに回転した俯角板４の回転方向と同じ図３（ｃ）矢印図示の方向へ回転板１１を回転させ、その回転がストッパピン１２で阻止される状態となったときに、回転板締止具１３の蝶ナット１７を締めて回転板１１を俯角板４と一体化させる。
【００２９】これにより、俯角板４は、該俯角板４と一体化された回転板１１とストッパピン１２とで図３（ｃ）矢印図示の方向への回転が阻止されることとなるので、俯角板締止具５を緩めても、灯体１を適正に調整された下向き角度より下方へ首振りさせることができなくなり、ランプ交換の際に灯体１を図３（ｂ）に示す角度０°の水平状態に戻しても、ランプ交換終了後にその灯体１を下方に首振りさせるだけで、図３（ｃ）に示す適正な下向き角度６０°に正確に復帰させることができる。
【００３０】また、灯体１が図３（ａ）及び（ｃ）の如く適正な取付角度に復帰したときに回転板１１及び該回転板１１と一体化された俯角板４の回転を阻止するストッパピン１２は、突端部がチルト軸３と同軸的に枢支された指針２０で支持されることによってその取付強度が高められているので、回転板１１及び俯角板４の回転を阻止した際の衝撃で傾きや歪みが生じて灯体１の取付角度を狂わせるおそれもない。
【００３１】
【発明の効果】
本発明の照明器具は、灯体の取付角度を調整してランプの照射角度を適正に設定することができる機構に加えて、取付角度が適正に調整された灯体を例えばランプ交換の際にその交換作業を容易にするために一旦水平状態とするように首振りさせても、再び適正な取付角度にワンタッチで正確に復帰させることができる機構も装備しているので、従来のようにペンキ等の塗料を用いて灯体の取付角度を示す目印を付けたり、灯体を適正な取付角度に復帰させる際に目印を目視しながらその目印の位置合わせを行なう面倒が解消されると同時に、目印の位置合わせを誤って灯体の取付角度に誤差が生じ、それによって目的場所を効率良く照明することができなくなるおそれも解消することができるという大変優れた効果がある。
【図面の簡単な説明】
【図１】本発明に係る照明器具の一例を示す側面図
【図２】図１に示す照明器具の要部の拡大斜視図
【図３】図１に示す照明器具の要部の機構を示す図
【図４】本発明の照明器具に用いる回転板の一例を示す斜視図
【図５】本発明の照明器具に用いるストッパピンの一例を示す斜視図
【図６】本発明の照明器具に用いる俯角板の一例を示す斜視図
【図７】従来の照明器具を示す側面図
【符号の説明】
１………………灯体
２………………灯体支持具
３………………チルト軸
４………………俯角板
５………………俯角板締止具
６………………灯具本体
７………………反射鏡
８………………灯体取付枠
９………………アーム
１０………………取付ベース
１１………………回転板
１２………………ストッパピン
１３………………回転板締止具
１６………………ボルト
１７………………蝶ナット
２０………………指針
【図１】
2005019043.tif 000003
【図２】
2005019043.tif 000004
【図３】
2005019043.tif 000005
【図４】
2005019043.tif 000006
【図５】
2005019043.tif 000007
【図６】
2005019043.tif 000008
【図７】
2005019043.tif 000009